(57)【要約】【課題】光ディスクプレーヤの動作状態をより直感的に表示できる表示装置を提供する。【解決手段】表示装置は、デジタル表示器２６と、デジタル表示器２６の表示を制御する表示制御部２４を備える。表示制御部２４は、機器の電源がオンされた場合に、デジタル表示器２６に円弧上に配列された表示パターン群２６ａ，２６ｂの各パターンを、時間の経過に応じて時計回りに回転するように表示オンオフ制御し、ＣＤプレーヤ１０が再生動作した場合に、再生位置に応じて時計回りに回転するように表示オンオフ制御し、早送り動作した場合に、早送り動作による再生位置の変化に応じて時計回りに回転するように表示オンオフ制御し、巻戻し動作した場合に、巻戻し動作による再生位置の変化に応じて反時計回りに回転するように表示オンオフ制御する。【選択図】図１
2016045247.tif 000002
【特許請求の範囲】
【請求項１】
デジタル表示器と、
前記デジタル表示器の表示を制御する表示制御手段と、
を備え、
前記表示制御手段は、
機器の動作モードに応じて前記デジタル表示器の表示形態を変化させ、
機器の動作モードが時計モードの場合に、前記デジタル表示器に円弧上に配列された表示パターン群の各パターンを、時間の経過に応じて時計回りに回転するように表示オンオフ制御し、
機器の動作モードが光ディスクプレーヤ動作モードの場合であって、前記光ディスクプレーヤが再生動作したときに、前記表示パターン群の各パターンを再生位置に応じて時計回りに回転するように表示オンオフ制御し、前記光ディスクプレーヤが早送り動作したときに、前記表示パターン群の各パターンを早送り動作による再生位置の変化に応じて時計回りに回転するように表示オンオフ制御し、前記光ディスクプレーヤが巻戻し動作したときに、前記表示パターン群の各パターンを巻戻し動作による再生位置の変化に応じて反時計回りに回転するように表示オンオフ制御する
ことを特徴とする表示装置。
【請求項２】
請求項１記載の表示装置において、
前記表示パターン群は、前記デジタル表示器の略中央を中心として右半分に円弧上に配列された第１表示パターン群と、前記デジタル表示器の略中央を中心として左半分に円弧上に配列された第２表示パターン群からなり、
前記表示制御手段は、
前記機器の動作モードが時計モードの場合に、前記デジタル表示器の略中央に現在時刻を表示し、
前記光ディスクプレーヤが再生動作、早送り動作、あるいは巻戻し動作したときに、前記デジタル表示器の略中央に再生位置を表示する
ことを特徴とする表示装置。
【請求項３】
請求項１，２のいずれかに記載の表示装置と、
光ディスクプレーヤと、
前記光ディスクプレーヤの動作を制御する制御手段と、
を備えることを特徴とするオーディオ機器。
【発明の詳細な説明】
【技術分野】
【０００１】
本発明は表示装置に関し、特にオーディオ機器の表示装置に関する。
【背景技術】
【０００２】
従来から、デジタル表示手段を用いてオーディオ機器の再生や早送り、巻戻し等の動作を動くパターンでリアルタイムに表示する技術が知られている。
【０００３】
特許文献１には、操作部からの操作指令に基づいて制御部により音楽ソース再生装置に対し再生・早送り・巻戻し等の制御指令を出力するとともに再生・早送り・巻戻し等に対応する表示パターンデータを記憶部から読み出し、この読み出された表示パターンデータに基づいて表示装置を表示制御回路で制御することにより、音楽ソース再生装置の動作状態を動く表示パターンで表示させることが記載されている。  
【先行技術文献】
【特許文献】
【０００４】
【特許文献１】特開平１０−３１２６７５号公報
【発明の概要】
【発明が解決しようとする課題】
【０００５】
一定の時間間隔で１表示器分ずつ矢印表示パターンを左側から右側へステップさせることで音楽ソース再生装置の動作状態を視覚的に表示させることが可能であるが、一次元的な動きであって単調であり、より効果的な表示が求められている。特に、ＣＤやＤＶＤ等の光ディスクを音楽ソースとする場合、再生時には円盤上の光ディスクはスピンドルにより回転駆動されており、この回転駆動の動作状態によりユーザは再生状態にあることを把握できるところ、このようなユーザ感覚に合致する直感的な動作状態表示が求められている。
【０００６】
本発明の目的は、光ディスクプレーヤの動作状態をより直感的に表示できる表示装置及びこれを備えたオーディオ機器を提供することにある。
【課題を解決するための手段】
【０００７】
本発明の表示装置は、デジタル表示器と、前記デジタル表示器の表示を制御する表示制御手段とを備え、前記表示制御手段は、機器の動作モードに応じて前記デジタル表示器の表示形態を変化させ、機器の動作モードが時計モードの場合に、前記デジタル表示器に円弧上に配列された表示パターン群の各パターンを、時間の経過に応じて時計回りに回転するように表示オンオフ制御し、機器の動作モードが光ディスクプレーヤ動作モードの場合であって、前記光ディスクプレーヤが再生動作したときに、前記表示パターン群の各パターンを再生位置に応じて時計回りに回転するように表示オンオフ制御し、前記光ディスクプレーヤが早送り動作したときに、前記表示パターン群の各パターンを早送り動作による再生位置の変化に応じて時計回りに回転するように表示オンオフ制御し、前記光ディスクプレーヤが巻戻し動作したときに、前記表示パターン群の各パターンを巻戻し動作による再生位置の変化に応じて反時計回りに回転するように表示オンオフ制御することを特徴とする。
【０００８】
本発明の１つの実施形態では、前記表示パターン群は、前記デジタル表示器の略中央を中心として右半分に円弧上に配列された第１表示パターン群と、前記デジタル表示器の略中央を中心として左半分に円弧上に配列された第２表示パターン群からなり、前記表示制御手段は、前記時計モードの場合に、前記デジタル表示器の略中央に現在時刻を表示し、前記光ディスクプレーヤが再生動作、早送り動作、あるいは巻戻し動作したときに、前記デジタル表示器の略中央に再生位置を表示することを特徴とする。
【０００９】
また、本発明のオーディオ機器は、上記の表示装置と、光ディスクプレーヤと、前記光ディスクプレーヤの動作を制御する制御手段を備えることを特徴とする。
【発明の効果】
【００１０】
本発明によれば、光ディスクプレーヤの動作状態をより直感的に表示できる。また、本発明によれば、時計表示と光ディスクプレーヤの動作状態表示の統一的なユーザインタフェースを提供でき、操作性を向上できる。
【図面の簡単な説明】
【００１１】
【図１】実施形態のシステム構成図である。
【図２】実施形態の処理フローチャートである。
【図３】実施形態のデジタル表示器の表示形態説明図（その１）である。
【図４】実施形態のデジタル表示器の表示形態説明図（その２）である。
【図５】実施形態のデジタル表示器の表示形態説明図（その３）である。
【図６】実施形態のデジタル表示器の表示形態説明図（その４）である。
【図７】実施形態のデジタル表示器の表示形態説明図（その５）である。
【図８】実施形態のデジタル表示器の表示形態説明図（その６）である。
【図９】実施形態のデジタル表示器の表示形態説明図（その７）である。
【図１０】実施形態のデジタル表示器の表示形態説明図（その８）である。
【図１１】他の実施形態のデジタル表示器の表示形態説明図である。
【図１２】他の実施形態のデジタル表示器の表示形態説明図である。
【図１３】他の実施形態のデジタル表示器の表示形態説明図である。
【図１４】他の実施形態のデジタル表示器の表示形態説明図である。
【発明を実施するための形態】
【００１２】
以下、図面に基づき本発明の実施形態について、ＣＤプレーヤを備えたオーディオ機器を例にとり説明する。
【００１３】
図１は、本実施形態におけるオーディオ機器のシステム構成図である。オーディオ機器は、ＣＤプレーヤ１０、信号処理部１２、アンプ１４Ｒ，１４Ｌ、スピーカ１６Ｒ，１６Ｌ、操作部１８、コントローラ２０、メモリ２２、表示制御部２４及びデジタル表示器２６を備える。
【００１４】
なお、オーディオ機器は、これらの構成に加え、さらにＡＭ／ＦＭラジオチューナやＵＳＢ、ブルートゥース等の通信インタフェースを備えていてもよい。
【００１５】
ＣＤプレーヤ１０は、音楽ＣＤやＣＤ−Ｒ／ＲＷを再生するプレーヤであり、再生した音楽信号を信号処理部１２に出力する。なお、ＣＤプレーヤ１０は、再生するフォーマットとして、オーディオＣＤのみならず、ＭＰ３やＷＭＡであってもよい。また、ＣＤプレーヤ１０は、ＤＶＤを再生できる機能を有していてもよい。
【００１６】
信号処理部１２は、供給された音楽信号に対して所定の信号処理を施し、Ｒチャンネル用アンプ１４Ｒ及びＬチャンネル用アンプ１４Ｌに出力する。所定の信号処理は、ＣＤプレーヤ１０に対する光学サーボ処理（フォーカスサーボやトラッキングサーボ）及びデジタル信号処理（ＥＦＭ変調、誤り訂正、ＭＰ３／ＷＭＡデコード処理、Ｆｓ変換処理、デジタルフィルタ処理、ＤＡコンバート処理）である。
【００１７】
Ｒチャンネル用アンプ１４Ｒ及びＬチャンネル用アンプ１４Ｌは、それぞれ音楽信号を増幅してＲチャンネルスピーカ１６Ｒ及びＬチャンネルスピーカ１６Ｌに出力する。
【００１８】
操作部１８は、各種ボタンや操作つまみ、ジョグダイヤル等から構成され、ユーザの操作の選択／実行操作を受け付ける。操作部１８から入力されたユーザ操作は、操作信号としてコントローラ２０に供給される。操作部１８の主なボタン／操作つまみは、電源ボタン、モード選択ボタン、ボリュームつまみ等であり、これらを用いた主なユーザ操作は、電源オン／オフ、モード選択、ＣＤプレーヤ１０動作時の再生／早送り／巻戻し／停止、音量調整等である。オーディオ機器がＡＭ／ＦＭラジオチューナを備えている場合には、チューニング操作も含まれる。
【００１９】
コントローラ２０は、オーディオ機器全体を制御し、操作部１８からの操作信号に応じてＣＤプレーヤ１０、信号処理部１２及びアンプ１４Ｒ，１４Ｌの動作を制御してＣＤの音楽信号を再生しスピーカ１６Ｒ，１６Ｌから出力する。また、コントローラ２０は、操作部１８からの操作信号に応じ、現在の動作状態をデジタル表示器２６に表示させるべく表示制御部２４を制御する。コントローラ２０は、メモリ２２に記憶されたプログラムを読み出して順次実行することで各種の動作を実行する。
【００２０】
メモリ２２は、ＥＥＰＲＯＭ等のプログラムメモリ及びＲＡＭ等のワーキングメモリを含む。プログラムメモリには処理プログラムが記憶される。処理プログラムには、コントローラ２０及び表示制御部２４の動作の下でデジタル表示器２６に表示するための制御プログラムないしプログラムモジュールが含まれる。以下では、表示制御部２４が、コントローラ２０からの指令に基づき、制御プログラムを実行してデジタル表示器２６に表示するものとする。
【００２１】
表示制御部２４は、コントローラ２０の指令により、デジタル表示器２６に各種情報、すなわちオーディオ機器の動作状態を表示する。表示制御部２４は、機器が電源オンされた後のスタンバイモードにおいて時計をデジタル表示器２６に表示し、かつ、ＣＤプレーヤ１０が選択された状態においてＣＤモードに移行して、ＣＤプレーヤ１０の動作状態をデジタル表示器２６に表示する。機器の動作状態は、コントローラ２０が検出し、コントローラ２０から表示制御部２４に供給される
【００２２】
デジタル表示器２６は、液晶パネルや有機ＥＬパネルで構成され、ドットマトリクスの各ドットをオン／オフすることで所望のパターンをデジタル表示する。
【００２３】
なお、デジタル表示器２６をタッチパネルで構成して操作部１８の一部として機能させてもよい。
【００２４】
本実施形態において、表示制御部２４は、電源オン時のスタンバイ状態（ＣＤプレーヤ１０やＡＭ／ＦＭチューナ等の特定のソースが選択されていない状態）においてデジタル表示器２６に時計を表示するが、その表示形態はアナログ時計、すなわち円盤状の文字盤に対して時計針が一定の速度で回転することで現在の時刻を表示する表示形態を模した表示形態である。また、表示制御部２４は、ＣＤプレーヤ１０の選択時においてデジタル表示器２６にＣＤプレーヤ１０の動作状態を表示するが、その表示形態は、ＣＤがスピンドルモータにより回転駆動されて再生位置が順次変化する様子を模した表示形態である。
【００２５】
図１には、ＣＤプレーヤ１０が選択された場合の、デジタル表示器２６に表示される表示形態の一例が示されている。デジタル表示器２６の略中央にはＣＤプレーヤ１０の再生位置（あるいは再生時間）を示す再生タイムカウンタ２６ｄが表示されるとともに、その上部に再生しているＣＤの現在のトラック番号２６ｃが表示される。また、デジタル表示器２６の右半分及び左半分には、それぞれデジタル表示器２６の略中央を中心とする円弧上に離散的に複数の楕円状または矩形状の表示パターンからなる表示パターン群２６ａ，２６ｂが配置される。ここで、表示パターン群２６ａは、楕円状または矩形状等の所定形状をなすパターンを複数個、同一円弧上に所定の間隔だけ離間して配置させた場合の、これら複数のパターンの集合として定義される。表示パターン群２６ｂも同様である。表示パターン群２６ａ，２６ｂの円弧中心は同一であるが、互いに異なっていてもよい。すなわち、表示パターン群２６ａの円弧中心は、楕円の一つの焦点に一致し、表示パターン群２６ｂの円弧中心は、当該楕円の他の焦点に一致してもよい。
【００２６】
表示パターン群２６ａ，２６ｂは、略中央の再生タイムカウンタ２６ｄをその円弧の内部に囲むように左右対称に配置され、再生タイムカウンタ２６ｄのカウント値と連動して表示形態が変化する。すなわち、ＣＤプレーヤ１０の再生動作に伴って再生タイムカウンタ２６ｄのカウントが進むと、これに連動して、表示パターン群２６ａ，２６ｂの一つのパターンが時計回りに順次表示オンされ、他のパターンは表示オフされる。例えば、あるタイミングでは表示パターン群２６ａのうちの一つのパターンが表示オンされ、次に、そのパターンが表示オフされるとともにそのパターンに時計回りに隣接するパターンが表示オンされる。従って、ユーザは、デジタル表示器２６を視認することで、現在のＣＤの再生位置を確認できるとともに、ＣＤが回転駆動されて再生されていることを直感的に把握することができる。また、表示パターン群２６ａ，２６ｂは、スタンバイ状態の時計表示における時計針として機能するため、モード間で統一的なユーザインタフェースを提供することができる。表示パターン群２６ａ，２６ｂは、時計モードにおいては現在時刻を表す機能を有し、ＣＤモードではＣＤの再生位置を表す機能を有するといえる。言い換えれば、表示制御部２４は、時計モードとＣＤ動作モードのいずれにおいても表示パターン群２６ａ，２６ｂを回転させるような表示制御を実行し、時計モードでは時間の経過に応じた速度で回転させ、ＣＤ動作モードではＣＤの再生位置の変化に応じた速度で回転させるような表示制御を実行する。デジタル表示器２６の表示形態については、さらに詳述する。
【００２７】
図２は、本実施形態の処理フローチャートである。
【００２８】
ユーザが操作部１８を操作してオーディオ機器の電源をオンすると（Ｓ１０１）、コントローラ２０は、スタンバイモードに移行し、表示制御部２４に指令してデジタル表示器２６に時計を表示させる（Ｓ１０２）。スタンバイモードとしての時計モードでは、表示制御部２４は、デジタル表示器２６のほぼ中央にデジタル数字で現在の時刻を時分表示するとともに、デジタル表示器２６の右半分の円弧上配列の表示パターン群２６ａ及び左半分の円弧上配列の表示パターン群２６ｂを用いてアナログ時計の秒針を模した表示を行う。
【００２９】
次に、ユーザが操作部１８を操作してＣＤを選択すると（Ｓ１０３）、コントローラ２０は、時計モードからＣＤ動作モードに移行し、ＣＤプレーヤ１０及び信号処理部１２を起動し、ＣＤプレーヤ１０でＣＤを再生して信号処理部１２で所定処理を施し、スピーカ１６Ｒ，１６Ｌから出力する。また、コントローラ２０は、これと並行して表示制御部２４に指令し、表示制御部２４は、デジタル表示器２６にＣＤが選択されたことを示す表示を行う（Ｓ１０４）。さらに、表示制御部２４は、ＣＤプレーヤ１０の動作状態（再生／早送り／巻戻し）に応じた表示形態で表示を行う（Ｓ１０５，Ｓ１０６，Ｓ１０７，Ｓ１０８）。
【００３０】
すなわち、ユーザがＣＤ選択に続いて再生ボタンを操作すると（Ｓ１０５で「再生」）、表示制御部２４は、コントローラ２０からの指令に従いデジタル表示器２６に再生中のＣＤのトラック番号２６ｃを表示するとともに再生タイムカウンタ２６ｄを表示する。また、右半分の円弧上配列の表示パターン群２６ａ及び左半分の円弧上配列の表示パターン群２６ｂを用いて再生タイムカウンタ２６ｄに連動した時計回りの回転動作表示を行う（Ｓ１０６）。ユーザは、再生タイムカウンタ２６ｄ及び表示パターン群２６ａ，２６ｂの回転動作を視認することで、再生動作及び再生位置を直感的に把握できる。
【００３１】
他方、ユーザが早送りボタンを操作すると（Ｓ１０５で「早送り」）、表示制御部２４は、コントローラ２０からの指令に従いデジタル表示器２６の再生タイムカウンタ２６ｄを早送り操作に応じた速さでそのカウント値を進めるとともに、右半分の円弧上配列の表示パターン群２６ａ及び左半分の円弧上配列の表示パターン群２６ｂを用いて早送り操作に連動した時計回りの回転動作表示を行う。具体的には、再生時の回転動作よりも速い回転動作表示を行う（Ｓ１０７）。ユーザは、表示パターン群２６ａ，２６ｂの素早い回転動作を視認することで、早送り動作を直感的に把握できる。
【００３２】
また、ユーザが巻戻しボタンを操作すると（Ｓ１０５で「巻戻し」）、表示制御部２４は、コントローラ２０からの指令に従いデジタル表示器２６の再生タイムカウンタ２６ｄを巻戻し操作に応じた速さでそのカウント値を戻すとともに、右半分の円弧上配列の表示パターン群２６ａ及び左半分の円弧上配列の表示パターン群２６ｂを用いて巻戻し操作に連動した回転動作表示を行う。具体的には、再生時や早送り時と異なり、反時計方向の回転動作表示を行う（Ｓ１０８）。ユーザは、表示パターン群２６ａ，２６ｂの反時計方向の回転動作を視認することで、巻戻し動作を直感的に把握できる。
【００３３】
なお、図２では特に示していないが、ユーザが一時停止ボタンあるいは停止ボタンを操作すると、表示制御部２４は、コントローラ２０からの指令に従い、再生タイムカウンタ２６ｄのカウント値を止めるとともに、表示パターン群２６ａ，２６ｂの回転も止めることは言うまでもない。
【００３４】
次に、デジタル表示器２６における表示形態について、図面を用いて具体的に説明する。
【００３５】
図３は、電源オン直後の表示形態である。デジタル表示器２６のほぼ中央に現在の時刻２６ｅが表示される。現在時刻は、時分表示である。現在の時刻２６ｅを囲むように配置される周囲の表示パターン群２６ａ、２６ｂは表示オフの状態にある。
【００３６】
図４は、図３の状態から１秒経過後の表示形態である。表示パターン群２６ａのうち右上にあるパターン２６ａ１が表示オンとなり、その他のパターン群は表示オフとなる。図において黒く塗りつぶされているのは表示オン状態にあることを示す。
【００３７】
図５は、図４の状態からさらに１秒経過後の表示形態である。表示パターン群２６ａのうち時計回りに隣接する次のパターン２６ａ２が表示オンとなり、その他のパターン群は表示オフとなる。
【００３８】
このように、１秒後毎に時計回りにパターンを順次表示オンさせることで、あたかもアナログ時計の秒針が時計回りに回転しているかのように表示させることができる。
【００３９】
なお、図では表示パターン群２６ａ、２６ｂともに７個のパターンから構成されているが、これは例示であって任意の個数のパターンとすることができる。例えば、表示パターン群２６ａ、２６ｂの個数をそれぞれ１５個とし、３０秒で１周するように構成してもよく、表示パターン群２６ａ、２６ｂの個数をそれぞれ３０個とし、６０秒で１周するように構成してもよい。
【００４０】
図６は、ＣＤ選択直後の表示形態である。デジタル表示器２６のほぼ中央にＣＤが選択されＣＤ動作モードに設定されたことを示すＣＤ表示２６ｆが表示される。ＣＤ表示２６ｆを囲むように配置される周囲の表示パターン群２６ａ、２６ｂは表示オフの状態にある。
【００４１】
図７は、再生操作直後の表示形態である。ＣＤ表示２６ｆは、再生時間を示す再生タイムカウンタ２６ｄの表示に切り替わり、その上に現在再生中のトラック番号２６ｃが表示される。図において、「０１」はトラック番号０１であることを示す。また、表示パターン群２６ａのうち右上にあるパターン２６ａ１が表示オンとなり、その他のパターンは表示オフとなる。
【００４２】
図８は、再生が進んだときの表示形態である。再生タイムカウンタ２６ｄは１だけ進んで表示され（００：０１から００：０２に変化）、この再生位置の変化に連動するように、表示パターン群２６ａのうち時計回りに隣接する次のパターン２６ａ２が表示オンとなり、その他のパターンは表示オフとなる。
【００４３】
このように、再生タイムカウンタ２６ｄに連動させて時計回りにパターンを順次表示オンさせることで、ＣＤが回転駆動されている視覚効果を与え、かつ、ＣＤの再生位置が順次進行しているとの視覚効果を与えることができる。
【００４４】
図９及び図１０は、早送り操作時の表示形態である。図９に示すように、再生タイムカウンタ２６ｄが表示され、表示パターン群２６ａのうちの時計回りの一番端のパターンが表示オン状態であるときにユーザが早送り操作すると、再生タイムカウンタ２６ｄが早送り操作に応じて進み（０１：２０から０１：３０に変化）、この再生位置の変化に連動するように、表示パターン群２６ａ，２６ｂのうち表示オンされるパターンも再生時に比べて速く時計回りに進んでいく。図１０において、早送り操作に応じて表示オンされるパターンが時計回りに進んでいく様子を破線矢印で示す。
【００４５】
このように、早送り操作に連動させて再生タイムカウンタ２６ｄを進めるだけでなく、これに連動させて表示パターン群２６ａ、２６ｂも早送りに応じた速度で回転表示することで、ＣＤの再生位置が早送り操作により進行しているとの視覚効果を与えることができる。
【００４６】
巻戻し操作時は、早送り操作時と同様であるが、表示パターン群２６ａ，２６ｂの回転方向が反時計方向になる。再生タイムカウンタ２６ｄが巻戻し操作に応じて巻き戻され、この再生位置に変化に連動するように、表示パターン群２６ａ，２６ｂのうち表示オンされるパターンも反時計回りに素早く回転する。
【００４７】
以上、本発明の実施形態について説明したが、本発明はこれに限定されるものではなく、種々の変形が可能である。
【００４８】
例えば、本実施形態では、表示パターン群２６ａ，２６ｂのうちのいずれかのパターンを表示オンし、その他のパターンを表示オフとし、表示オンするパターンを時計方向あるいは反時計方向に移動させることで時計表示とＣＤの再生位置表示を実現しているが、表示パターン群２６ａ，２６ｂのうちのいずれかのパターンを表示オフし、その他のパターンを表示オンとしてもよい。あるいは、初期状態において表示パターン群２６ａ，２６ｂのうちの全てのパターンを表示オンし、時間の経過及び再生位置の進行とともに、表示オフするパターンを増やしていく（カウントダウン方式）こともできる。
【００４９】
図１１〜図１３は、カウントダウン方式の表示形態を示す。
【００５０】
図１１は、再生操作直後の表示形態である。トラック番号２６ｃが表示され、再生タイムカウンタ２６ｄが表示され、かつ、表示パターン群２６ａ，２６ｂを構成する全てのパターンが表示オン状態である。
【００５１】
図１２は、再生が進んだ状態の表示形態である。再生タイムカウンタ２６ｄが進み（００：００から００：０１に変化）、これに連動して表示パターン群２６ａのうち右上にあるパターン２６ａ１が表示オフとなり、その他のパターン群は表示オンのままである。
【００５２】
図１３は、再生がさらに進んだ状態の表示形態である。再生タイムカウンタ２６ｄが進み（００：０５に変化）、これに連増して表示パターン群２６ａのうち複数のパターン２６ａ１〜２６ａ５が時計回りに順次表示オフとなる（図では時計回りに計５個のパターンが表示オフとなっている）。全てのパターンが表示オフ状態となったら、再び全てのパターンを表示オン状態にして、カウントダウン方式の表示形態を繰り返してもよいし、表示オンのパターンを増大させていくカウントアップ方式の表示形態に切り替えてもよい（カウントダウン方式の表示形態とカウントアップ方式の表示形態とを順次切り替える表示方法）。
【００５３】
早送り操作の場合も同様に早送り操作に連動して時計回りに順次パターンを表示オフしていく。巻戻し操作の場合は、これとは逆に反時計回りに順次パターンを表示オンしていけばよい。時計モードについても同様であり、現在時刻の進行とともに時計回りに順次パターンを表示オフしていけばよい。
【００５４】
また、本実施形態では、表示パターン群２６ａ，２６ｂを用いて時計表示とＣＤの動作表示を行っているが、表示パターン群２６ａ，２６ｂは数字を表示するパターン群を兼用していてもよい。
【００５５】
図１４は、表示パターン群２６ａ，２６ｂが数字を表示するパターン群を兼用する場合の一例を示す。表示パターン群２６ａ，２６ｂは、それぞれ数字の０〜９を表示できるパターン群から構成され、表示パターン群２６ａ，２６ｂの各パターンは、数字を表示するためのパターン群の一部から構成される。この場合、表示パターン群２６ａ，２６ｂを構成する各パターンは、所定の多角形状をなす複数のパターン要素から構成されるといえる。
【００５６】
また、本実施形態では、表示パターン群２６ａ，２６ｂを用いて時計表示とＣＤの動作表示を行っているが、時計表示の回転動作とＣＤ動作表示の回転動作の表示方式を同一とする他、互いに異なるものとすることもできる。例えば、時計表示及びＣＤの再生動作表示をともに図３〜図５に示すように表示オンのパターンを時計方向に回転させる場合の他、時計表示を図３〜図５に示すように表示オンのパターンを時計方向に回転させる表示方式とし、ＣＤの再生動作表示を図１１〜図１３に示すように表示オフのパターンを時計方向に増大させていくカウントダウン方式とする場合、あるいは、時計表示及びＣＤの再生動作表示をともに図１１〜図１３に示すように表示オフのパターンを時計方向に増大させていくカウントダウン方式とする場合、あるいは、時計表示を図１１〜図１３に示すように表示オフのパターンを時計方向に増大させていくカウントダウン方式とし、ＣＤの再生動作表示を図３〜図５に示すように表示オンのパターンを時計方向に回転させる表示方式とする場合等である。複数の表示方式の中からユーザが適宜選択できるように構成してもよい。
【００５７】
また、本実施形態において、ブルートゥースによりスマートフォン等の携帯機器に記憶されている音楽ソースを再生してスピーカ１６Ｒ，１６Ｌから出力する場合も、ＣＤ再生時と同様に表示パターン群２６ａ，２６ｂを回転表示させてもよい。
【００５８】
さらに、本実施形態では、コントローラ２０が機器の動作状態を検出して表示制御部２４に指令しているが、表示制御部２４が機器の動作状態を検出してデジタル表示器２６の表示を変化させてもよい。
【符号の説明】
【００５９】
１０  ＣＤプレーヤ、１２  信号処理部、１４Ｒ，１４Ｌ  アンプ、１６Ｒ，１６Ｌ  スピーカ、１８  操作部、２０  コントローラ、２２  メモリ、２４  表示制御部、２６  デジタル表示器。  
【図１】
2016045247.tif 000003
【図２】
2016045247.tif 000004
【図３】
2016045247.tif 000005
【図４】
2016045247.tif 000006
【図５】
2016045247.tif 000007
【図６】
2016045247.tif 000008
【図７】
2016045247.tif 000009
【図８】
2016045247.tif 000010
【図９】
2016045247.tif 000011
【図１０】
2016045247.tif 000012
【図１１】
2016045247.tif 000013
【図１２】
2016045247.tif 000014
【図１３】
2016045247.tif 000015
【図１４】
2016045247.tif 000016